(57)【要約】【課題】屋上等の下地上に形成する植栽装置において、適正な保水と給水を図り植栽しようとする植物、特に例えば芝の移植において根の迅速な定着を図り、芝などの適正な生育と高所における風の吹き上げに対処でき、しかも、土壌等からなる植栽層を正確な厚さに効率よく構築できる植栽構造の提供を目的としている。【解決手段】建造物の屋上、屋根等に設置される植物の植栽装置であって、屋上あるいは屋根下地上に設けられる防水層と、植物の毛根等の装置外への侵出を防止するために前記防水層上に張設されるルートガードと、このルートガード上に張設される貯水手段と、この貯水手段上に設けられ、上方から浸透する雨水等を保持しつつ前記貯水手段に給水しあるいは前記貯水手段から水分を植物の根部に供給するための保水給水手段と、この保水給水手段上に構築される客土層とを具えてなる植栽装置を提供して、上記課題を解決する。【選択図】  図２
2010142119.tif 000002
【特許請求の範囲】
【請求項１】
建造物の屋上、屋根等に設置される植物の植栽装置であって、屋上あるいは屋根下地上に設けられる防水層と、植物の毛根等の装置外への侵出を防止するために前記防水層上に張設されるルートガードと、このルートガード上に張設される貯水手段と、この貯水手段上に設けられ、上方から浸透する雨水等を保持しつつ前記貯水手段に給水しあるいは前記貯水手段から水分を植物の根部に供給するための保水給水手段と、この保水給水手段上に構築される客土層とを具えてなる植栽装置。
【請求項２】
請求項１記載の植栽装置において、前記保水給水手段は毛細管現象により貯水手段から水分を客土層に供給するものであることを特徴とする植栽装置。
【請求項３】
請求項１または２記載の植栽装置において客土層上に張設したネットとを具え、前記ルートガードまたは前記貯水手段の上に第１柱状体およびこれより高さのある第２柱状体を固着し、前記保水給水手段を第１柱状体に係着する一方、前記第２柱状体の高さまで前記客土層を積層するとともに第２柱状体に前記ネットを係着して構成したことを特徴とする植栽装置。
【請求項４】
請求項１ないし３いずれか記載の植栽装置において、前記保水給水手段は不織布で構成するとともに、前記貯水手段は多数の貯水凹部が連続して形成されたパネルで構成され、保水給水手段を構成する不織布の一部は前記貯水凹部内の水分に、常時接触状態にあることを特徴とする植栽装置。
【請求項５】
請求項４記載の植栽装置において、保水給水手段を構成する不織布は硬質層とその下面の軟質層で形成され、前記軟質層の一部は前記貯水凹部内に進出設置されて、前記貯水凹部内の水分に、常時接触状態におかれていることを特徴とする植栽装置。
【請求項６】
請求項４又は５記載の植栽装置において、保水給水手段を構成する不織布には網状体を付設し、この網状体を介して不織布を第１柱状体に係着するようにしたことを特徴とする植栽装置。
【請求項７】
請求項３ないし６いずれか記載の植栽装置において、客土層上に張設したネットは前記第２柱状体に固着したことを特徴とする植栽装置。
【請求項８】
請求項３ないし７いずれか記載の植栽装置において、ルートガード上に張設される貯水手段には、ルートガード上に固着される前記第１柱状体および第２柱状体を突出させるための開口部が適宜箇所に形成されていることを特徴とする植栽装置。
【請求項９】
請求項３ないし８いずれか記載の植栽装置において、保水給水手段と客土層との間には灌水手段を敷設したことを特徴とする植栽装置。
【請求項１０】
以下の工程からなる請求項３ないし９いずれか記載の植栽装置の構築方法。
イ：  防水層上に両面接着テープを介して多数の貯水凹部が連続して形成されたパネルで構成される貯水手段を固着する工程、
ロ：  貯水手段を構成する前記パネルに形成された開口部において露出する前記両面接着テープ上に第１柱状体およびこれより高さのある第２柱状体を固着する工程、
ハ：  保水給水手段を構成する不織布を前記パネルならび第１柱状体上に敷設して不織布の一部が前記貯水凹部内に収納させるとともに不織布を第１柱状体の頂部において固定し、前記第２柱状体は隣り合う不織布の境界部で不織布から突出させる工程、
ニ：  不織布上に灌水パイプを敷設する工程、
ホ：  次いで、不織布上に土壌を前記第２柱状体の頂部の高さまで積層し客土層を構築する工程、
へ：  客土層に芝その他の植物を植栽しその上面の全部又は一部をネットで被覆し、このネットを前記第２柱状体の頂部に固定する工程。
【発明の詳細な説明】
【技術分野】
【０００１】
この発明は、屋上その他の緑化装置としての植栽装置、詳しくは植物根の定着を容易にするとともに植物が高所における風の吹き上げに耐えられるようにした植栽装置とその構築方法に関するものである。
【背景技術】
【０００２】
近年、建造物の屋上やその他の空間に大規模に植物を植栽し、都市部における無機的な空間の緑化を図る試みが盛んになされるようになっている。
このような時、多くの場合は、建造物等のスラブ面の防水層上に押えのコンクリート層を形成し、この上に、植栽層として、砂、砂利等からなる砂利層と、客土層を順次積層して植物を植栽するようにしている。
【０００３】
しかしながら、植物にとって十分な保水性、排水性を得るためには、防水層にかなりの土砂を導入する必要があり、しかもコンクリート層はかなりの重量を有するため、これらの重量が建造物に悪影響を及ぼすという問題がある。そこで、本出願人は、先に保水性、排水性に優れた軽量の植栽装置を開示している（例えば特許２５３１５４２号公報参照）。
【０００４】
この植栽装置は、建造物の屋上等に形成されているスラブ面に防水層を固定するとともに、この防水層の上面に、不織布等を有する保水材と、凹部及び凸部２を有するドレイン板等とからなる保水給排水手段を設け、さらにこの保水給排水手段の上方に砂利層および客土層からなる植栽層を積層したものとなっており、前記保水給排水手段等によって適正な保水性、排水性を得られるものとなっている。
このため、排水を考慮して設けられていたコンクリート層が不要となり、保水性の向上によって植栽層も草木の根毛の長さなどを考慮した必要最小限の厚さ、例えば５０ｍｍ程度に設定することが可能となっている。
【０００５】
このように、の植栽装置の進化により装置全体が軽量化され、建造物に対する悪影響を回避し得るという優れた効果が得られるようになったが、未だ解決すべき幾つかの課題を包含している。
すなわち、まず風に対する対策である。  この種の緑化装置は、建造物の屋上等、高所に設けられることが多いが、このような高所では常に方向不規則な風が発生しており、このため客土層の土壌やここに植生される苗等は容易に飛散する恐れが常にあり、その効果的な対策は非常に難しい。
【０００６】
不織布等を有する保水材と、凹部及び凸部を有するドレイン板等とからなる前述の保水給排水手段
では降雨、灌水等による水分を十分量保水し、この保持された水分を効率よく土壌に供給することができなかった。
【０００７】
また、植栽層の構築の際に、厚さの目安がないために砂利や土壌を積み上げる作業を効率よく行うことが困難であった。
なお、本願発明に関する文献としてつぎのようなものが存在する。
【特許文献１】特開平１１−３１８２１０号公報
【特許文献２】特開平１１−３１８２０５号公報
【特許文献３】特開２００１−８５４６号公報
【特許文献４】特開２００４−２９８１４６号公報
【特許文献５】特開２００５−１１８１０４号公報
【特許文献６】特開平１１−３２５７８号公報
【発明の開示】
【発明が解決しようとする課題】
【０００８】
本願発明は、屋上等の下地上に形成する植栽装置において、適正な保水と給水を図り植栽しようとする植物、特に例えば芝の移植において根の迅速な定着を図り、芝などの適正な生育と高所における風の吹き上げに対処でき、しかも、土壌等からなる植栽層を正確な厚さに効率よく構築できる植栽構造の提供を目的としている。  
【課題を解決するための手段】
【０００９】
本願発明は、建造物の屋上、屋根等に設置される植物の植栽装置であって、屋上あるいは屋根下地上に設けられる防水層と、植物の毛根等の装置外への侵出を防止するために前記防水層上に張設されるルートガードと、このルートガード上に張設される貯水手段と、この貯水手段上に設けられ、上方から浸透する雨水等を保持しつつ前記貯水手段に給水しあるいは前記貯水手段から水分を植物の根部に供給するための保水給水手段と、この保水給水手段上に構築される客土層とを具えてなる植栽装置を提供して上記従来の課題を解決しようとするものである。
【００１０】
また、上記の植栽装置において、前記保水給水手段は毛細管現象により貯水手段から水分を客土層に供給するもので構成することがある。
【００１１】
さらに、段落０００９または００１０記載の植栽装置において、客土層上に張設したネットとを具え、前記ルートガードまたは前記貯水手段の上に第１柱状体およびこれより高さのある第２柱状体を固着し、前記保水給水手段を第１柱状体に係着する一方、前記第２柱状体の高さまで前記客土層を積層するとともに第２柱状体に前記ネットを係着して構成したことを特徴とする植栽装置。
【００１２】
また、上記いずれかの植栽装置において、前記保水給水手段は不織布で構成するとともに、前記貯水手段は多数の貯水凹部が連続して形成されたパネルで構成され、保水給水手段を構成する不織布の一部は前記貯水凹部内の水分に、常時接触状態にあるように構成することがある。
【００１３】
さらに、上記段落００１２記載の植栽装置において、保水給水手段を構成する不織布は硬質層とその下面の軟質層で形成され、前記軟質層の一部は前記貯水凹部内に進出設置されて、前記貯水凹部内の水分に、常時接触状態におかれるように構成することがある。
【００１４】
さらにまた、段落００１２又は００１３記載の植栽装置において、保水給水手段を構成する不織布には網状体を付設し、この網状体を介して不織布を第１柱状体に係着するようになすことがある。
【００１５】
また、上記段落００１１ないし００１４いずれか記載の植栽装置において、客土層上に張設したネットは前記第２柱状体に固着する構成となすことがある。
【００１６】
さらに、上記段落００１１ないし００１５いずれか記載の植栽装置において、ルートガード上に張設される貯水手段には、ルートガード上に固着される前記第１柱状体および第２柱状体を突出させるための開口部が適宜箇所に形成された構成となすことがある。
【００１７】
またさらに、上記段落００１１ないし００１６いずれか記載の植栽装置において、保水給水手段と客土層との間には灌水手段を敷設し、さらには必要に応じてフィルターをも敷設することがある。
【００１８】
本願発明はまた、以下の工程からなる段落００１１ないし００１７いずれか記載の植栽装置の構築方法を提供する。  すなわち、構築方法の全工程は、
イ：  防水層上に両面接着テープを介して多数の貯水凹部が連続して形成されたパネルで構成される貯水手段を固着する工程、
ロ：  貯水手段を構成する前記パネルに形成された開口部において露出する前記両面接着テープ上に第１柱状体およびこれより高さのある第２柱状体を固着する工程、
ハ：  保水給水手段を構成する不織布を前記パネルならび第１柱状体上に敷設して不織布の一部が前記貯水凹部内に収納させるとともに不織布を第１柱状体の頂部において固定し、前記第２柱状体は隣り合う不織布の境界部で不織布から突出させる工程、
ニ：  不織布上に灌水パイプを敷設する工程、
ホ：  次いで、不織布上に土壌を前記第２柱状体の頂部の高さまで積層し客土層を構築する工程、
へ：  客土層に芝その他の植物を植栽しその上面の全部又は一部をネットで被覆し、このネットを前記第２柱状体の頂部に固定する工程、
から構成されている。
【発明の効果】
【００１９】
以上のような構成により、客土層への適正な給水が確保できて、植物根の早期定着が確実なものとなり、高所での耐性に優れ、さらには薄く軽量の客土層きながら植物の適正な生育が可能な植栽装置を効率よく低廉なコストで構築できる。
【発明を実施するための最良の形態】
【００２０】
客土層における植物の根を早期に定着させるには、保水給水手段による貯水手段からの客土層への給水が常時適切になされる必要がある。そして、保水給水手段による給水は毛細管現象を利用してなすのが望ましく、したがって保水給水手段は、細管が多数形成されている多孔性岩石などの使用もかのうであるが、保水性、施工性、給水効率等を考慮すると、繊維の複合体、特に不織布で構成するのが好ましい。  この不織布は、耐久性、保水性の見地から例えば、木綿と合成繊維の複合品が優れている。
【００２１】
保水給水手段としての不織布は、それ自体が雨水、灌水による水分を保持して客土層に徐々に給水するとともに、保水量の減少とともに貯水手段から吸水して、この水分を客土層に供給する。  したがって、不織布の一部は、常に貯水手段により保持される水分への接触が維持される必要がある。  このため、不織布の貯水手段との対向部分は軟質の不織布で形成して水分への接触を容易にする必要がある。
しかしながら、不織布は貯水手段と客土層との間にあって客土層を支持して客土層を貯水手段に対して区画する機能を求められるから不織布全体を軟質にすることは好ましくなく、客土層に接する部分は硬質に形成するのが望ましい。
【００２２】
そして、客土層を適正に支持するには、さらに不織布に補強材を付設する。この補強材は金属またはプラスチック材による網状体で構成して、不織布内部または不織布の表面で客土層と接する側に固定する。
【００２３】
貯水手段は、多数の貯水凹部が連続して形成された樹脂パネルで構成し、このパネルは施工性を考慮して、所定の大きさの単位に形成し、接着手段により防水層表面に固着する。そして、このパネルには、防水層上に固着した第１および第２柱状体を嵌合させる開口部が形成されていて、この開口部を介して第１および第２柱状体はパネルの上方に突出する。  第１柱状体とこれより高い第２柱状体は安定性および剛性の見地から断面円錐台形状の樹脂製中空体で形成される。
【実施例】
【００２４】
以下、本願発明の１実施例を図面に基づいて説明する。図１は、当該実施例に係る植栽装置の一部断面図である。図において、Ａは建造物の屋上のコンクリートスラブＳ面に貼着される防水層であり、この防水層Ａの上面には、植物の毛根等の防水層への進出を防止するための樹脂製のルートガードＢが張設されている。  
【００２５】
また、１は前記ルートガードＢ上に張設されて水分を貯留するための貯水手段であり、この貯水手段１上には、上方から浸透する雨水等を保持しつつ前記貯水手段１に給水し、あるいは逆に前記貯水手段１から水分を毛細管現象により客土層３中の植物根部に供給するための保水給水手段２が敷設されており、この保水給水手段２上には客土層３が構築されていて、客土層３には芝３aなどの植物が植栽されている。  この実施例では、前記貯水手段１は多数の貯水凹部１aが連続して形成されたパネルで構成され、保水給水手段2は不織布で構成されその一部は前記貯水凹部１a内に収納されて水分に常時接触するようになっている。  この実施例では、保水給水手段２は不織布で構成されているが、スポンジ、多孔岩石その他の毛細管現象を呈するもので構成することができる。
【００２６】
図２は、本願発明の他の実施例に係る植栽装を示す一部断面図である。  図において、Ａは建造物の屋上のコンクリートスラブＳ面に貼着される防水層であり、この防水層Ａの上面には、植物の毛根等の防水層への進出を防止するための樹脂製のルートガードＢが張設されている。  
【００２７】
また、１は前記ルートガードＢ上に張設されて水分を貯留するための貯水手段であり、この貯水手段１上には、上方から浸透する雨水等を保持しつつ前記貯水手段１に給水し、あるいは逆に前記貯水手段１から水分を毛細管現象により客土層３中の植物根部に供給するための保水給水手段２が敷設されており、この保水給水手段２上には客土層３が構築されていて、芝３aなどの植物が植栽される客土層３には風に対する対策としてネットＮが張設されている。
【００２８】
また、４、５はそれぞれ前記ルートガードＢ上に固着された第１柱状体および第２柱状体であり、第２柱状体５は第１柱状体４より高く形成され、前記保水給水手段２は第１柱状体４に係着される一方、前記第２柱状体５の高さまで前記客土層３が積層されて第２柱状体５の頂部に前記ネットＮ係着されている。
【００２９】
この実施例でも、前記保水給水手段２は不織布で構成され、前記貯水手段１は、図４に示すように、多数の貯水凹部１aが連続して形成されたパネルで構成され、保水給水手段２を構成する不織布の一部は前記貯水凹部１a内の水分に常時接触するように、貯水凹部１a内に進出している。  なお、図４において、１ｂは後述の開口部である。
【００３０】
この実施例において、図３ならびに図５にも示すように、保水給水手段２を構成する不織布２は硬質層２aとその下面の軟質層２ｂで形成され、軟質層２ｂの一部は前記貯水凹部１a内に進出収納されて、前記貯水凹部１a内の水分に、常時接触するようになっている。  そして、保水給水手段を構成する不織布２には網状体６が付設され、この網状体６を介して図２に示すように不織布２は第１柱状体４に係着されている。  なお、この実施例で、網状体６は金網又は樹脂製の格子板で構成され、前記硬質層２aと軟質層２bとの間に介装されている。
【００３１】
図６は、第１柱状体４または第２柱状体５の斜視図であり、第１柱状体４または第２柱状体５は円錐台形状の中空体で形成され、底部には方形のブラケット部４a（５a）が形成されている。  図２に示す実施例では、ルートガードＢ上に張設される貯水手段１には、図４に示すようにルートガードＢ上に固着される前記第１柱状体４および第２柱状体５を突出させるための開口部１ｂ、１ｂが適宜箇所に形成され、この開口部１ｂは前記方形のブラケット部４a（５a）を嵌合できる大きさに形成されている。
【００３２】
また、上記のいずれの実施例に係る植栽装置にあって、保水給水手段２と客土層３との間には灌水手段として給水パイプを敷設することがある（不図示）。
【００３３】
次に、図７ないし図１１にしたがって、本願に係る植栽装置の構築方法の１実施例について説明する。
図７および図８は、構築方法の第１工程を示す一部切欠斜視図である。  図において、７は両面接着テープである。  この両面接着テープ７は、コンクリートスラブＳ面に貼着される防水層Ａの上面のルートガードＢ上面に適宜間隔で貼着される。  次いで、図８に示すように、前記両面接着テープ７を介して、図４に示すような多数の貯水凹部１aが連続して形成されかつ開口部１ｂが形成されたパネル１（貯水手段）を固着する。  このとき、前記開口部１ｂは前記両面接着テープ７上に位置取りがなされ、したがって、前記開口部１ｂ内には前記両面接着テープ７の表面が露出する状態となり、図９に示すように、図４において示される第１柱状体４およびこれより高さのある第２柱状体５を複数個、前記開口部１ｂ内に露出した前記両面接着テープ７の表面に接着する。いずれの柱状体も下端に、開口部１ｂより小さい方形状のフランジ部を有しており、このフランジ部により柱状体を前記開口部１ｂ内に固着する。
【００３４】
次いで、保水給水手段を構成する不織布（図５参照）を前記パネル１ならび第１柱状体４上に敷設する。  すなわち、図１０に示すように、図５に示す不織布２でパネル１の表面を被覆するとともに不織布２を第１柱状体４の頂部に係止する。なお、この状態で、第２柱状体５は単位大きさの各不織布２の境界部から突出した状態となっている。  また、図５に示すように、不織布２は硬質層２aとその下面の軟質層２ｂで形成され、軟質層２ｂの一部は前記貯水凹部１a内に進出収納されて、前記貯水凹部１a内の水分に、常時接触する状態になる。  
【００３５】
そして、不織布２上に灌水パイプ（不図示）を敷設した後、図１１に示すように、不織布２上に土壌を前記第２柱状体５の頂部の高さまで積層し客土層３を構築し、この客土層３に芝その他の植物を植栽し（不図示）、その上面の全部又は一部をネット（不図示）で被覆し、このネットを前記第２柱状体５の頂部に固定する。
【図面の簡単な説明】
【００３６】
【図１】本願発明に係る植栽装置の一実施例を示す一部切欠断面図である。
【図２】植栽装置の他の実施例を示す一部切欠断面図である。
【図３】保水給水手段の1実施例を示す断面図である。
【図４】貯水手段の１実施例を示す斜視図である。
【図５】保水給水手段としての不織布と貯水手段との関連構成を示す断面図である。
【図６】第１ならびに第２柱状体の１実施例を示す斜視図である。
【図７】ルーガード上における両面テープの貼付作業を示す斜視図である。
【図８】ルートガード上に両面テープを介して貯水手段を敷設する作業を示す斜視図である。
【図９】第１および第２柱状体を貯水手段の開口部に露出した両面接着テープに固着する作業を示す斜視図である。
【図１０】保水給水手段の敷設作業を示す斜視図である。
【図１１】客土層の構築作業を示す斜視図である。
【符号の説明】
【００３７】
Ａ．．．．．．．防水層
Ｂ．．．．．．．ルートガード
Ｓ．．．．．．．コンクリートスラブ（屋上下地）
１．．．．．．．貯水手段
２．．．．．．．保水給水手段
３．．．．．．．客土層
４．．．．．．．第１柱状体
５．．．．．．．第２柱状体
６．．．．．．．補強材
７．．．．．．．両面接着テープ
【図１】
2010142119.tif 000003
【図２】
2010142119.tif 000004
【図３】
2010142119.tif 000005
【図４】
2010142119.tif 000006
【図５】
2010142119.tif 000007
【図６】
2010142119.tif 000008
【図７】
2010142119.tif 000009
【図８】
2010142119.tif 000010
【図９】
2010142119.tif 000011
【図１０】
2010142119.tif 000012
【図１１】
2010142119.tif 000013